(57)【特許請求の範囲】
【請求項１】
内部に導電コンタクト部材が配置された絶縁ハウジングに、アクチュエータが往復移動可能に取り付けられたものであって、
前記アクチュエータを、前記絶縁ハウジングの上面から立ち上がる初期位置から前記絶縁ハウジングの上面に沿って延在する傾倒位置である作用位置まで回動させて、前記絶縁ハウジングの内部に挿入された信号伝送媒体を前記導電コンタクト部材に電気的に接続させることで、前記信号伝送媒体から前記導電コンタクト部材を通して印刷配線基板に至る伝送経路を形成するように構成された電気コネクタにおいて、
前記絶縁ハウジング及びアクチュエータに、当該絶縁ハウジング及びアクチュエータの外表面の少なくとも一部を覆う導電性金属部材からなるシールドシェルが装着されたものであって、
前記アクチュエータを作用位置まで移動させた際に、当該アクチュエータ側のシールドシェルと、前記絶縁ハウジング側のシールドシェルとが、前記信号伝送媒体から導電コンタクト部材を通して印刷配線基板に至る前記伝送経路を連続的に覆うように接触する配置関係になされていることを特徴とする電気コネクタ。
【請求項２】
前記アクチュエータが、前記絶縁ハウジングから前記印刷配線基板に沿った方向に離間した初期位置から前記絶縁ハウジングに接触する作用位置までスライド移動されるように構成されていることを特徴とする請求項１記載の電気コネクタ。
【請求項３】
前記アクチュエータが前記作用位置まで移動された状態で、前記絶縁ハウジング及び前記アクチュエータを覆う両シールドシェル同士の一部が重なり合うように構成されていることを特徴とする請求項１記載の電気コネクタ。
【請求項４】
前記絶縁ハウジングを覆うシールドシェルには、前記アクチュエータが前記作用位置まで回動された状態で、前記アクチュエータを覆うシールドシェルに接触するグランド部材が弾性変形可能に設けられていることを特徴とする請求項１記載の電気コネクタ。
【請求項５】
前記絶縁ハウジングを覆うシールドシェルには、前記絶縁ハウジングの内部に挿入された信号伝送媒体に接触するグランド部材が弾性変形可能に設けられていることを特徴とする請求項１記載の電気コネクタ。
【請求項６】
前記アクチュエータを覆うシールドシェルには、当該アクチュエータが前記作用位置まで移動された状態で、前記絶縁ハウジングを覆うシールドシェルに接触するグランド部材が設けられていることを特徴とする請求項１記載の電気コネクタ。
【請求項７】
前記絶縁ハウジングを覆うシールドシェルには、前記導電コンタクト部材に接触するグランド部材が弾性変形可能に設けられていることを特徴とする請求項１記載の電気コネクタ。
【発明の詳細な説明】
【技術分野】
【０００１】
本発明は、絶縁ハウジングの内部に信号伝送媒体を挿入して電気的な接続を行うように構成された電気コネクタに関する。
【背景技術】
【０００２】
一般に、種々の電気機器等に用いられている印刷配線基板に電気コネクタを実装し、その電気コネクタを介して、フレキシブル・プリンテッド・サーキット（ＦＰＣ）や、フレキシブル・フラット・ケーブル（ＦＦＣ）等の各種信号伝送媒体を印刷配線基板に電気的に接続することが広く行われている。例えば、下記の特許文献に記載されている電気コネクタでは、ＦＰＣやＦＦＣ等からなる信号伝送媒体を、印刷配線基板上に実装された電気コネクタの挿入口から媒体収容通路の内部に挿入し、その信号伝送媒体（ＦＰＣやＦＦＣ等）の挿入を完了した後に、アクチュエータ（接続操作手段）を回動操作又はスライド操作することで導電コンタクト部材を弾性変位させ、当該導電コンタクト部材の接点部を信号伝送媒体の電極部に圧接させることにより電気的な接続を行うようにしている。
【０００３】
一方、近年のように伝送信号の高周波化が図られてくると、信号伝送媒体から導電コンタクト部材に至る伝送経路をシールドする電磁波遮断（EMI）対策を施すことが必要となってくるが、アクチュエータを備えた電気コネクタでは、アクチュエータが回動又はスライドすることから、絶縁ハウジングとアクチュエータとの間に空間部分が形成されてしまい、十分な電磁波遮断機能が得にくいという問題がある。このような問題に対して、例えば下記の特許文献１においては、絶縁ハウジングの上面を開閉するシールドシェルを回動可能に設けるとともに、そのシールドシェルの内方領域にアクチュエータを配置しておき、アクチュエータを回動操作した後にシールドシェルを回動操作することによって、絶縁ハウジングとアクチュエータとの双方を上方からシールドシェルで覆うようにした構成が提案されている。
【０００４】
しかしながら、このような従来の電気コネクタにおいては、所定の電磁波遮断の作用は得られるものの、アクチュエータとシールドシェルの双方を回動可能に支持する機構が採用されていることから、構成が複雑化しているとともに、両部材の回動操作に手間が掛かるという問題がある。また、電気コネクタの組立工程等において、例えば電気コネクタを上方側から吸着する場合に、絶縁ハウジングの上面を覆うシールドシェルが邪魔になって効率的な組立性が得にくいという問題もある。
【先行技術文献】
【特許文献】
【０００５】
【特許文献１】特開２０１４−１１０３２号公報
【発明の概要】
【発明が解決しようとする課題】
【０００６】
そこで本発明は、簡易な構成で、信号伝送媒体から導電コンタクト部材に至る伝送経路を良好にシールドし、効率的な組立て性を得つつ良好な操作性をも得ることができるようにした電気コネクタを提供することを目的とする。
【課題を解決するための手段】
【０００７】
上記目的を達成するため本発明では、内部に導電コンタクト部材が配置された絶縁ハウジングにアクチュエータが往復移動可能に取り付けられたものであって、前記アクチュエータを、前記絶縁ハウジングの上面から立ち上がる初期位置から前記絶縁ハウジングの上面に沿って延在する傾倒位置である作用位置まで回動させて、前記絶縁ハウジングの内部に挿入された信号伝送媒体を前記導電コンタクト部材に電気的に接続させることで、前記信号伝送媒体から前記導電コンタクト部材を通して印刷配線基板に至る伝送経路を形成するように構成された電気コネクタにおいて、前記絶縁ハウジング及びアクチュエータに、当該絶縁ハウジング及びアクチュエータの外表面の少なくとも一部を覆う導電性金属部材からなるシールドシェルが装着されたものであって、前記アクチュエータを作用位置まで移動させた際に、当該アクチュエータ側のシールドシェルと、前記絶縁ハウジング側のシールドシェルとが、前記信号伝送媒体から導電コンタクト部材を通して印刷配線基板に至る前記伝送経路を連続的に覆うように接触する配置関係になされている。
【０００８】
このような構成を有する本発明によれば、アクチュエータが作用位置まで回動されることによって、アクチュエータ側のシールドシェルと、絶縁ハウジング側のシールドシェルとが接触するという簡易な構成により、信号伝送媒体から導電コンタクト部材を通して印刷配線基板に至る伝送経路が連続的に覆われて、良好なシールド性が得られる。
【００１０】
また、本発明においては、前記アクチュエータが、前記絶縁ハウジングから前記印刷配線基板に沿った方向に離間した初期位置から、前記絶縁ハウジングに接触する作用位置までスライド移動されるように構成されていることが可能である。
【００１１】
また、本発明においては、前記アクチュエータが前記作用位置まで移動された状態で、前記絶縁ハウジング及び前記アクチュエータを覆う両シールドシェル同士の一部が重なり合うように構成されていることが望ましい。
【００１２】
このような構成を有する本発明によれば、アクチュエータ側のシールドシェルと、絶縁ハウジング側のシールドシェルとが隙間なく接触することとなり、シールドシェルによる電磁波遮断作用が、さらに向上される。
【００１３】
また、本発明における前記絶縁ハウジングを覆うシールドシェルには、前記アクチュエータが前記作用位置まで回動された状態で、前記アクチュエータを覆うシールドシェルに接触するグランド部材が弾性変形可能に設けられていることが可能である。
【００１４】
また、本発明における前記絶縁ハウジングを覆うシールドシェルには、前記絶縁ハウジングの内部に挿入された信号伝送媒体に接触するグランド部材が弾性変形可能に設けられていることが可能である。
【００１５】
また、本発明における前記アクチュエータを覆うシールドシェルには、当該アクチュエータが前記作用位置まで移動された状態で、前記絶縁ハウジングを覆うシールドシェルに接触するグランド部材が設けられていることが望ましい。
【００１６】
このような構成を有する本発明によれば、グランド抵抗の低減によって、グランド特性の向上が図られるようになっている。
【００１７】
また、本発明における前記絶縁ハウジングを覆うシールドシェルには、前記導電コンタクト部材に接触するグランド部材が弾性変形可能に設けられていることが望ましい。
【００１８】
このような構成を有する本発明によれば、グランド回路を構成する電気経路が多点接触状態となり、グランド抵抗が低減される。
【発明の効果】
【００１９】
以上述べたように本発明にかかる電気コネクタは、絶縁ハウジング及びアクチュエータの外表面の少なくとも一部を導電性金属部材からなるシールドシェルにより覆い、作用位置まで移動させたアクチュエータ側のシールドシェルを、絶縁ハウジング側のシールドシェルに接触させて、信号伝送媒体から導電コンタクト部材を通して印刷配線基板に至る伝送経路を連続的に覆うことで、アクチュエータの回動によって両シールドシェルを接触させるという簡易な構成で、伝送経路に対する良好なシールド性が得られるように構成したものであるから、効率的な組立て性を得つつ良好な操作性をも得ることができ、電気コネクタの信頼性を低廉かつ大幅に向上させることができる。
【図面の簡単な説明】
【００２０】
【図１】本発明の第１の実施形態にかかる電気コネクタにおいて、アクチュエータを初期位置に立ち上げた状態をコネクタ正面側の上方から表した外観斜視説明図である。
【図２】図１に表された電気コネクタをコネクタ背面側の上方から見たときの外観斜視説明図である。
【図３】図１及び図２に表された電気コネクタをコネクタ正面側の下方から見たときの外観斜視説明図である。
【図４】図１〜図３に表された電気コネクタの平面説明図である。
【図５】図１〜図４に表された電気コネクタの正面説明図である。
【図６】図５中の VI−VI 線に沿った横断面説明図である。
【図７】図５中の VII−VII 線に沿った横断面説明図である。
【図８】図１〜図７に表された「初期位置」にある電気コネクタに信号伝送媒体（ＦＰＣ又はＦＦＣ等）の端末部分を挿入した状態を表した図６相当の横断面説明図である。
【図９】図１〜図７に表された「初期位置」にある電気コネクタに信号伝送媒体（ＦＰＣ又はＦＦＣ等）の端末部分を挿入した状態を表した図７相当の横断面説明図である。
【図１０】図８に表された電気コネクタのアクチュエータを「傾倒位置」に押し倒した状態の図６相当の横断面説明図である。
【図１１】図９に表された電気コネクタのアクチュエータを「傾倒位置」に押し倒した状態の図７相当の横断面説明図である。
【図１２】図１０に表された電気コネクタのアクチュエータを「作用位置」に押し込んだ状態をコネクタ正面側の上方から表した外観斜視説明図である。
【図１３】図１２に表された電気コネクタをコネクタ背面側の上方から見たときの外観斜視説明図である。
【図１４】図１２及び図１３に表された電気コネクタをコネクタ正面側の下方から見たときの外観斜視説明図である。
【図１５】図１０に表された電気コネクタのアクチュエータを「作用位置」に押し込んだ状態の図６相当の横断面説明図である。
【図１６】図１１に表された電気コネクタのアクチュエータを「作用位置」に押し込んだ状態の図７相当の横断面説明図である。
【図１７】本発明にかかる電気コネクタに接続される信号伝送媒体（ＦＰＣ又はＦＦＣ等）の一例を表した外観斜視説明図である。
【図１８】本発明の第２の実施形態にかかる電気コネクタにおいて、アクチュエータを初期位置に立ち上げた状態をコネクタ正面側の上方から表した外観斜視説明図である。
【図１９】図１８に表された電気コネクタをコネクタ背面側の上方から見たときの外観斜視説明図である。
【図２０】図１８及び図１９に表された電気コネクタの平面説明図である。
【図２１】図１８〜図２０に表された電気コネクタのアクチュエータが「初期位置」にある状態の図６相当の横断面説明図である。
【図２２】図２１に表された「初期位置」にある電気コネクタに信号伝送媒体（ＦＰＣ又はＦＦＣ等）の端末部分を挿入した状態を表した図６相当の横断面説明図である。
【図２３】図２２に表された電気コネクタのアクチュエータを「作用位置」に押し込んだ状態をコネクタ正面側の上方から表した外観斜視説明図である。
【図２４】図２２に表された電気コネクタのアクチュエータを「作用位置」に押し込んだ状態の図６相当の横断面説明図である。
【図２５】吸着エリアの一例を表した平面説明図である。
【図２６】本発明の第１の実施形態にかかる電気コネクタにおいて、ハウジングシェル（シールドシェル）に弾性変形可能なグランド部材を設けた実施形態を表した図１０相当の横断面説明図である。
【発明を実施するための形態】
【００２１】
以下、本発明の一実施形態を図面に基づいて詳細に説明する。
【００２２】
［コネクタ全体構造について］
まず、図１〜図７に示された本発明の一実施形態にかかる電気コネクタ１０は、図示を省略した印刷配線基板上に実装して用いられるリセプタクルコネクタからなるものであって、細長状に延在する絶縁性部材からなる絶縁ハウジング（インシュレータ）１１を備えている。この絶縁ハウジング１１は、平面略長方形状をなす薄厚の中空状筐体から形成されており、当該絶縁ハウジング１１において互いに対向する長辺側両端縁の一方側（図６及び図７左端側）、すなわちコネクタ前端縁部分には、フレキシブル・プリンテッド・サーキット（ＦＰＣ）やフレキシブル・フラット・ケーブル（ＦＦＣ）等からなる信号伝送媒体Ｆ（図１７参照）が挿入される前方側挿入口１１ａが、横細長状の開口形状を有するように設けられている。
【００２３】
また、その前方側挿入口１１ａとは反対側（図６及び図７の右端側）の他端側縁、すなわちコネクタ後端縁部分には、後述する導電コンタクト１２，１３や、接続操作手段としてのアクチュエータ１４を装着するための後方側開口部が設けられており、上述した前方側挿入口１１ａから後方側開口部に至るまでの間部分に、信号伝送媒体（ＦＰＣ又はＦＦＣ等）Ｆが挿入されることで収容される媒体収容通路１１ｂが形成されている。
【００２４】
以下において、上述した絶縁ハウジング１１の長手方向に相当する方向を「コネクタ長手方向」と呼ぶとともに、前方側挿入口１１ａと後方側開口部とが対向する方向を「コネクタ前後方向」と呼ぶこととし、また、それら「コネクタ長手方向」及び「コネクタ前後方向」の双方に直交する方向を「コネクタ上下方向」と呼ぶこととする。
【００２５】
一方、上述した絶縁ハウジング１１には、当該絶縁ハウジング１１の外表面を覆う導電性の板状金属部材からなるハウジングシェル（シールドシェル）１１ｃが装着されている。このハウジングシェル１１ｃは、絶縁ハウジング１１の外表面における上面部分からコネクタ長手方向の両側壁面にかけての部位に装着されており、上述した前方側挿入口１１ａ、後方側開口部、及び底面部を除いた部位を覆うように配置された状態で、当該ハウジングシェル１１ｃのコネクタ長手方向における両端の側壁板に貫通形成された複数体の固定穴１１ｃ１が、絶縁ハウジング１１の外表面に突設された固定突起１１ｃ２に係合されることによって、ハウジングシェル１１ｃ全体の固定が行われるようになっている。
【００２６】
このようなハウジングシェル（シールドシェル）１１ｃにおけるコネクタ前端縁部分には、信号伝送媒体（ＦＰＣ又はＦＦＣ等）Ｆの上側表面に対して弾性的に接触するバネ状部材からなる前端グランド接触片（グランド部材）１１ｄが、コネクタ長手方向に沿って複数体設けられている。これらの各前端グランド接触片１１ｄは、前方側挿入口１１ａの内方側に向かって折り下げるように形成されており、その前方側挿入口１１ａの内方側から更にコネクタ後方側に向かって折り返すように形成されている。
【００２７】
さらに、上述したハウジングシェル（シールドシェル）１１ｃにおけるコネクタ長手方向の両側部には、図示を省略した印刷配線基板から立ち上がるように配置される側壁部を有しているが、それらの各側壁部の後端部分には、コネクタ内方側（コネクタ中心側）に向かって張り出すバネ状部材からなる側端グランド接触片（グランド部材）１１ｅ，１１ｅが一体的に形成されている。これらの各側端グランド接触片１１ｅは、コネクタ後方側に向かって折り返すように延出しており、後述するアクチュエータシェル１４ｃの一部が電気的に接触する構成になされている。
【００２８】
［導電コンタクトについて］
また、絶縁ハウジング１１に設けられた媒体収容通路１１ｂの内部には、略Ｈ字形状を直角横向きに倒した側面形状を有する複数体の導電コンタクト（コンタクト部材）１２，１３が、コネクタ前後方向に延在するように挿入されている。それらの各導電コンタクト１２，１３は、薄板状の金属製部材から形成されており、絶縁ハウジング１１の横幅方向（コネクタ長手方向）に適宜の間隔で凹設された装着溝内に、多極状をなして並列するように配置されている。これらの導電コンタクト１２，１３は、互いに異なる形状のものが交互に配置された、いわゆる千鳥配列構成になされたものであって、後述するように一方の導電コンタクト１２の前端部分（図６の左端部分）が、印刷配線基板（図示省略）上に半田接合されるとともに、他方の導電コンタクト１３の後端端部分（図６の右端部分）が、印刷配線基板上に半田接合されることで、信号伝送用又はシールド用のいずれかとして使用されるようになっている。
【００２９】
このような導電コンタクト１２，１３の各々は、上述したようにコネクタ前端側及び後端側からコネクタ後方側（図６の右方側）及び前方側（図７の左方側）に向かって押し込むようにして装着されており、信号伝送媒体（ＦＰＣ又はＦＦＣ等）Ｆの表面又は裏面に形成された信号伝送用導電路（信号線）又はシールド用導電路（シールド線）のいずれかからなる導電路に対応した位置に当該導電コンタクト１２，１３のそれぞれが配置されている。これらの各導電コンタクト１２，１３は、信号伝送媒体Ｆの挿抜方向（図６及び図７の左右方向）に沿って延在する一対の細長状ビーム部材からなる可動コンタクトビーム１２ａ，１３ａ及び固定コンタクトビーム１２ｂ，１３ｂをそれぞれ有している。
【００３０】
これらの可動コンタクトビーム１２ａ，１３ａ及び固定コンタクトビーム１２ｂ，１３ｂは、上述した絶縁ハウジング１１に設けられた媒体収容通路１１ｂの内方側空間において、コネクタ上下方向に適宜の間隔をなして互いに対向した状態に配置されており、コネクタ前後方向（図６及び図７の左右方向）に沿って細長状をなすように延在している。そのうちの固定コンタクトビーム１２ｂ，１３ｂは、前記絶縁ハウジング１１の底部内壁面に沿って延在するように配置されていて、当該絶縁ハウジング１１の内部で略不動状態となるように保持されている。
【００３１】
その固定コンタクトビーム１２ｂ，１３ｂには、コネクタ前後延在方向（図６及び図７の左右方向）における中央部分よりやや後方側（図６及び図７の右方側）に、略鉛直方向（図６及び図７の上下方向）に延在する細幅板状の連結支柱部１２ｃ，１３ｃが一体的に連結されている。そして、その連結支柱部１２ｃ，１３ｃの上端部分には、上述した可動コンタクトビーム１２ａ，１３ａがコネクタ前後方向（図６及び図７の左右方向）に延在するように一体的に連結されている。この可動コンタクトビーム１２ａ，１３ａは、連結支柱部１２ｃ，１３ｃの近傍を中心として弾性変形し、それによって固定コンタクトビーム１２ｂ，１３ｂに対して可動コンタクトビーム１２ａ，１３ａが弾性的な可撓性を有する構成になされている。これらの各可動コンタクトビーム１２ａ，１３ａの弾性変形は、図６及び図７の紙面を含む延在平面内において行われ、当該可動コンタクトビーム１２ａ，１３ａの延在方向における両端部分が、図示上下方向に弾性変位される構成になされている。
【００３２】
さらに、上述した可動コンタクトビーム１２ａ，１３ａの前端部分（図６及び図７の左端側部分）には、信号伝送媒体（ＦＰＣ又はＦＦＣ等）Ｆの図示上面側に形成された信号伝送用又はシールド用の導電路Ｆ２（図１７参照）のいずれかからなる導電路に接続される接点部として端子接触凸部１２ａ１，１３ａ１が図示下向きの突形状をなすように設けられている。そして、この可動コンタクトビーム１２ａ，１３ａに設けられた端子接触凸部１２ａ１，１３ａ１と、その直下位置に対面するように配置された固定コンタクトビーム１２ｂ，１３ｂどうしの間に、前記信号伝送媒体Ｆが挟持されるようになっている。
【００３３】
このとき、上述した可動コンタクトビーム１２ａ，１３ａの端子接触凸部１２ａ１，１３ａ１に対応して、固定コンタクトビーム１２ｂ，１３ｂ側にも、信号伝送媒体（ＦＰＣ又はＦＦＣ等）Ｆの図示下面側に形成された信号伝送用又はシールド用の導電路（図示省略）のいずれかに接続される端子接触凸部を図示上向きの突形状をなすように設けることも可能である。また、それらの端子接触凸部同士は、互いの位置をコネクタ前方側（図示左方側）或いはコネクタ後方側（図示右方側）にずらして配置することも可能である。さらに、本実施形態における固定コンタクトビーム１２ｂ，１３ｂは、基本的に不動状態となるように保持されているが、信号伝送媒体（ＦＰＣ又はＦＦＣ等）Ｆとの接触圧力を安定化する等の目的で、例えば当該固定コンタクトビーム１２ｂ，１３ｂの前端部分が絶縁ハウジング１１の底壁面から僅かに浮き上がるように形成して弾性変位可能となるように構成することも可能である。
【００３４】
このような固定コンタクトビーム１２ｂにおけるコネクタ前端側部分（図６の左端側部分）及び固定コンタクトビーム１３ｂにおけるコネクタ後端側部分（図７の右端側部分）には、上述した印刷配線基板上に形成された導電路（図示省略）に半田接続される基板接合端子部１２ｂ１，１３ｂ１が形成されていて、当該基板接合端子部１２ｂ１，１３ｂ１を介して印刷配線基板に対する電気的接続が行われるようになっている。
【００３５】
さらに、固定コンタクトビーム１２ｂ，１３ｂ及び可動コンタクトビーム１２ａ，１３ａのコネクタ後端部分には、後述するようにアクチュエータ（接続操作手段）１４に一体的に設けられた回動軸１４ａが、両コンタクトビーム１２，１３同士の間部分に挟まれるようにして回転可能に保持されている。より具体的には、固定コンタクトビーム１２ｂ，１３ｂにおけるコネクタ後端部分の上端縁は、略水平に延出する平坦面をなすように形成されており、その平坦面からなる固定コンタクトビーム１２ｂ，１３ｂの後端側上縁部分に、アクチュエータ１４の回動軸１４ａが、上方側から回転可能かつ滑動自在に接触するように配置されている。
【００３６】
一方、可動コンタクトビーム１２ａ，１３ａの下端縁には、側面視において下方側に向かって略山形状をなすようにして突出するカム作用部１２ａ２，１３ａ２が、コネクタ後端部分にそれぞれ設けられている。そして、それらのカム作用部１２ａ２，１３ａ２が有するコネクタ前方側（図６及び図７の左方側）の湾曲状端縁部分と、そのカム作用部１２ａ２，１３ａ２の湾曲状端縁部分が可動コンタクトビーム１２ａ，１３ａの下端縁に連続する部位との間部分に、上述したアクチュエータ１４の回動軸１４ａが回転可能に配置されている。
【００３７】
このように可動コンタクトビーム１２ａ，１３ａに設けられたカム作用部１２ａ２，１３ａ２は、アクチュエータ（接続操作手段）１４の回動軸１４ａを回転可能に支持する構成になされたものであるが、当該カム作用部１２ａ２，１３ａ２が設けられていることによって、アクチュエータ１４の回動軸１４ａが、コネクタ後方側に向かって脱落することなく保持されているとともに、コネクタ前方側に向かう方向においては滑動可能となっている。すなわち、このアクチュエータ１４の回動軸１４ａは、可動コンタクトビーム１２ａ，１３ａの下端縁及び固定コンタクトビーム１２ｂ，１３ｂの上端縁に対しては、滑動による移動可能となっており、それによってアクチュエータ１４の全体が、コネクタ前方側に向かって移動可能となるように構成されている。この点については後段において詳細に説明する。
【００３８】
このとき、アクチュエータ（接続操作手段）１４の回動軸１４ａにおける軸方向の両端部分は、絶縁ハウジング１１に設けられた軸受け部（図示省略）に、回動可能かつコネクタ前後方向に往復移動可能となるように支持されており、これによってアクチュエータ１４は、絶縁ハウジング１１から上方に向かって立ち上げられた「初期位置」（図１〜図９参照）から、絶縁ハウジング１１に沿って略水平に延在する「傾倒位置」（図１０及び図１１参照）まで、コネクタ後方側に向かって押し倒されるように回動されるとともに、その「傾倒位置」に至るまで回動された後のアクチュエータ１４は、コネクタ前方側（図６及び図７の左方側）に向かって押し込まれることで、後述する「押込み作用位置」までスライド移動される構成になされている。
【００３９】
そして、上述したようにアクチュエータ（接続操作手段）１４が、「傾倒位置」からコネクタ前方側に向かって「押込み作用位置」まで押し込まれる操作が行われることによって、可動コンタクトビーム１２ａ，１３ａの弾性変位が行われ、当該可動コンタクトビーム１２ａ，１３ａと固定コンタクトビーム１２ｂ，１３ｂとの間に、信号伝送媒体（ＦＰＣ又はＦＦＣ等）Ｆが挟持されるようになっている。この点については後段において詳細に説明する。
【００４０】
［ロック部材について］
一方、絶縁ハウジング１１のコネクタ長手方向における両端部分、すなわち上述した導電コンタクト１２，１３の両側外方部分には、当該絶縁ハウジング１１の内部に挿入された信号伝送媒体（ＦＰＣ又はＦＦＣ等）Ｆの抜止めを行う一対のロック部材１５，１５が、コネクタ前端側から後方側に向かって押し込むようにして装着されている。
【００４１】
これらの各ロック部材１５も、信号伝送媒体Ｆの挿入方向（図６及び図７の右方向）に沿って延在する一対の細長状ビーム部材からなる可動ロックビーム及び固定ロックビームをそれぞれ有している（図示省略）。それらの各ロック部材１５を構成している可動ロックビーム及び固定ロックビームは、絶縁ハウジング１１の媒体収容通路１１ｂにおけるコネクタ長手方向の両側部分に、上下方向に適宜の間隔をなして互いに対向した状態に配置されており、コネクタ前後方向（図６及び図７の左右方向）に細長状に延在するように配置されている。該可動ロックビームのコネクタ前端部分には、信号伝送媒体Ｆに嵌合する係止ロック爪が設けられている。
【００４２】
一方、前述したようにして絶縁ハウジング１１に設けられた媒体収容通路１１ｂの内部空間に挿入された信号伝送媒体（ＦＰＣ又はＦＦＣ等）Ｆは、例えば図１７に示されているような構成を備えており、その幅方向（コネクタ長手方向）における両端縁部が、上述したロック部材１５の固定ロックビームと可動ロックビームとの間部分に挿入される構成になされている。そのロック部材１５に設けられた係止ロック爪に対応して、信号伝送媒体Ｆの端末部分には、当該信号伝送媒体Ｆの幅方向（コネクタ長手方向）両側の端縁部分に、切り欠き状の凹部からなる係合位置決め部Ｆ１，Ｆ１がそれぞれ形成されている。
【００４３】
そして、信号伝送媒体（ＦＰＣ又はＦＦＣ等）Ｆがコネクタ奥側（図６及び図７の右方側）に向かって押し込まれていき、当該信号伝送媒体Ｆの挿入方向の先端縁部が、上述したロック部材１５の連結支柱部に突き当てられて停止されたときに、その信号伝送媒体Ｆに設けられた係合位置決め部Ｆ１が、ロック部材１５に設けられた係止ロック爪の直下位置に配置される位置関係に設定されており、その信号伝送媒体Ｆの突き当て停止状態から、図１０及び図１１のように「傾倒位置」に至るまで回動されたアクチュエータ１４が、図１２〜図１６のようにコネクタ前方側の「押込み作用位置」まで押し込まれる操作が行われることで、ロック部材１５の係止ロック爪が下降して、信号伝送媒体Ｆの係合位置決め部Ｆ１に係合状態（ロック状態）となり、それによって信号伝送媒体Ｆの抜止めが行われる。
【００４４】
［アクチュエータについて］
上述した接続操作手段としてのアクチュエータ１４は、絶縁材料により細長状に形成された回動操作枠体１４ｂと、その回動操作枠体１４ｂの外表面の一部を覆うように装着されたアクチュエータシェル（シールドシェル）１４ｃとを備えている。回動操作枠体１４ｂの基端部分には、前述したようにコネクタ長手方向に延在する回動軸１４ａが設けられており、その回動軸１４ａが、絶縁ハウジング１１のコネクタ後方側の端縁部分（図６及び図７の右端部分）に沿って回動自在となるように取り付けられている。また、その回動軸１４ａからは、細幅の板状部材からなる回動アーム１４ｇが、回動軸１４ａの回動半径外方側に向かって櫛歯状をなすように延出しており、それら回動アーム１４ｇの延出方向（回動半径外方向）における先端部分に、上述した板状部材からなる回動操作枠体１４ｂが一体的に連結された構成になされている。
【００４５】
より具体的には、上述した回動操作枠体１４ｂは、回動軸１４ａの軸方向（コネクタ長手方向）に沿って細長状に延在する板状部材から形成されており、当該回動操作枠体１４ｂにおける内方側の端面、すなわち前述した絶縁ハウジング１１側に対面する端面と、回動軸１４ａとの間には、複数の回動アーム１４ｇ，１４ｇ，・・・がコネクタ長手方向に所定の間隔をなして並列するように配置されている。それらの各回動アーム１４ｇは、前述した導電コンタクト１２，１３との間部分に配置されているが、コネクタ長手方向に隣り合う一対の回動アーム１４ｇ，１４ｇ同士の間部分、すなわち導電コンタクト１２，１３に対応する位置には、それら両導電コンタクト１２，１３との干渉を回避するための複数のスリット１４ｄが、同間隔で櫛歯状をなすように形成されている。
【００４６】
このように、回動アーム１４ｇ及びスリット１４ｄが、櫛歯状をなすように設けられていることによって、アクチュエータ（接続操作手段）１４は、導電コンタクト１２，１３の特に可動コンタクトビーム１２ａ，１３ａに対して干渉を生じることなく回動操作されることとなり、図１〜図９に示されているような略鉛直上方に向かって立設状態にある「初期位置」から、図１０及び図１１に示されているようなコネクタ後方側（図示右方側）に向かって押し倒された「傾倒位置」まで、回動操作される構成になされている。
【００４７】
また、そのようなアクチュエータ（接続操作手段）１４の回動操作枠体１４ｂに櫛歯状に設けられた各スリット１４ｄは、前述した絶縁ハウジング１１側に向かって開口しているとともに、当該開口部から、回動操作枠体１４ｂの回動半径方向における外方側に向かって延びているが、そのスリット１４ｄの内部空間を形成している奥側の壁面にはフック状突起部１４ｅが設けられている。このフック状突起部１４ｅは、上述したようにスリット１４ｄにおける奥側の壁面から、回動操作枠体１４ｅの回動中心である回動軸１４ａに向かって近接するように片持ち状に延出する板状部材から形成されており、当該フック状突起部１４ｅにおける延出側、すなわち回動操作枠体１４ｂの回動半径方向における内方側の先端部分、押圧カム部１４ｅ１が形成されている。
【００４８】
このとき、アクチュエータ（接続操作手段）１４が、図１０及び図１１示されているようなコネクタ後方側（図示の右方側）に押し倒された「傾倒位置」に位置した状態において、可動コンタクトビーム１２ａ，１３ａ及び固定コンタクトビーム１２ｂ，１３ｂの後端部分に対して、上述したフック状突起部１４ｅが、コネクタ後方側から対面する配置関係になされている。より詳細には、そのフック状突起部１４ｅにおける延出側の先端部分に設けられた押圧カム部１４ｅ１が、可動コンタクトビーム１２ａ，１３ａの後端部分に設けられたカム作用部１２ａ２，１３ａ２に対して、コネクタ前後方向（水平方向）にやや離間して対向する配置関係になされている。
【００４９】
そして、上述したようにカム作用部１２ａ２，１３ａ２に対する押圧カム部１４ｅ１の離間対向状態から、アクチュエータ（接続操作手段）１４の全体をコネクタ前方側に向かってスライド移動させるように操作力が付与されることでフック状突起部１４ｅがコネクタ前方側に前進すると、そのフック状突起部１４ｅの押圧カム部１４ｅ１を構成している傾斜面が、可動コンタクトビーム１２ａ，１３ａのカム作用部１２ａ２，１３ａ２を構成している傾斜面に当接する。そして、カム作用部１２ａ２，１３ａ２の傾斜面に発生する上方向への分力によって、可動コンタクトビーム１２ａ，１３ａのコネクタ後端側部分が上方側に持ち上げられるように変位していき、それに伴って、コネクタ前端側に設けられた端子接触凸部１２ａ１，１３ａ１が下方に押し下げられていく構成になされている。
【００５０】
すなわち、アクチュエータ（接続操作手段）１４が「初期位置」にある状態（図１〜図９参照）で、絶縁ハウジング１１の前方側挿入口１１ａを通して信号伝送媒体（ＦＰＣ又はＦＦＣ等）Ｆが媒体収容通路１１ｂの内部に挿入され、その後にアクチュエータ１４がコネクタ後方側に向かって傾倒される操作が施されて、略水平状態となる「傾倒位置」まで回動される（図１０及び図１１参照）。次いで、そのような水平状態にあるアクチュエータ１４に対して、コネクタ前方側への押し込み操作力が付与され、最終位置である「押込み作用位置」までコネクタ前方側へスライド移動されることで、導電コンタクト１２，１３の可動コンタクトビーム１２ａ，１３ａが、前述したように弾性変形され、信号伝送媒体（ＦＰＣ又はＦＦＣ等）Ｆの表面に形成された信号伝送用又はグランド用の各導電路Ｆ２ （図１７参照）のいずれかに対して、上述した可動コンタクトビーム１２ａ，１３ａの端子接触凸部１２ａ１，１３ａ１が圧接された状態に維持され、それによって印刷配線基板Ｂに対する電気的な接続が行われる構成になされている。
【００５１】
また、前述したアクチュエータ（接続操作手段）１４の回動操作枠体１４ｂの外表面を覆うアクチュエータシェル（シールドシェル）１４ｃは、導電性の金属板状部材から形成されており、アクチュエータ１４が「傾倒位置」まで回動された状態（図１０及び図１１参照）において、当該回動操作枠体１４ｂの上面から、コネクタ後端面に相当する外表面を覆うように装着されている。
【００５２】
このアクチュエータシェル（シールドシェル）１４ｃが、絶縁ハウジング１１側に向かって対面する内方側の端縁部分は、上述した「傾倒位置」において、前述した絶縁ハウジング１１のハウジングシェル（シールドシェル）１１ｃの後端縁部分に対して、コネクタ前後方向に所定の隙間を形成するように配置される構成になされている。そして、アクチュエータ１４が、前述した最終の「押込み作用位置」までスライド移動された際に、当該アクチュエータシェル１４ｃの半径方向内端縁部は、ハウジングシェル１１ｃの後端縁部に対して上方側から重なり合うようにして電気的な接触状態になされる。
【００５３】
さらに、上述したアクチュエータシェル（シールドシェル）１４ｃにおける内方側の端縁部分には、コネクタ長手方向の両側部分に、略直角下方に折り曲げられた側端グランド接触片１４ｆ，１４ｆが形成されている。これらの各側端グランド接触片１４ｆは、「傾倒位置」において下方に向かって延出するように折り曲げられており、より具体的には、アクチュエータ１４が、前述した最終の「押込み作用位置」までスライドするようにして移動された際に、当該アクチュエータシェル１４ｃの側端グランド接触片１４ｆ，１４ｆが、絶縁ハウジング１１のハウジングシェル１１ｃに設けられた側端グランド接触片１１ｅ，１１ｅに対して、コネクタ内方側（コネクタ中心側）から電気的に接触される配置関係になされている。
【００５４】
このような構成を有する本実施形態によれば、「初期位置」から「傾倒位置」まで回動されたアクチュエータ１４が、最終位置である「押込み作用位置」までコネクタ前方側へスライド移動されることで、信号伝送媒体（ＦＰＣ又はＦＦＣ等）Ｆに対して導電コンタクト１２，１３が電気的に接続される操作が完了するが、その時点で、アクチュエータ１４に装着されたアクチュエータシェル（シールドシェル）１４ｃは、絶縁ハウジング１１に装着されたハウジングシェル（シールドシェル）１１ｃに対して上方側から重合するようにして電気的な接触状態になされる。その結果、信号伝送媒体Ｆから導電コンタクト１２，１３を通して印刷配線基板に至る伝送経路が、ハウジングシェル１１ｃとアクチュエータシェル１４ｃとにより連続的に覆われることとなり、良好なシールド性が得られる。
【００５５】
特に、本実施形態においては、上述したようにアクチュエータ１４が絶縁ハウジング１１側に向かって押し込まれた状態で、絶縁ハウジング１１及びアクチュエータ１４を覆う両シールドシェル１１ｃ，１４ｃ同士の一部が重なり合う構成になされていることから、両シールドシェル１１ｃ，１４ｃによる電磁波遮断作用が、さらに向上されるようになっている。
【００５６】
さらに、本実施形態にかかるリセプタクルコネクタ１０の組み立て工程において、当該リセプタクルコネクタ１０を上方側から所定の治具を用いて吸着する場合に、絶縁ハウジング１１の上面を覆うハウジングシェル１１ｃに対して、例えば、本発明の第２実施形態を表した図２５の斜線で示されている領域（吸着エリア）に対して、治具による吸着を直接的に行うことが可能となり、その結果、良好な組立て性が得られる。
【００５７】
さらにまた、本実施形態においては、アクチュエータ１４を覆うシールドシェル１４ｃに、当該アクチュエータ１４が絶縁ハウジング１１側に向かって押し込まれた状態で、印刷配線基板上の導電路に接触するグランド部材としての側端グランド接触片１１ｅ，１１ｅが弾性変形可能に設けられていることから、グランド特性の向上が図られるようになっている。
【００５８】
［第２の実施形態について］
一方、上述した第１の実施形態と同一の構成部材に対して同一の符号を付した図１８〜図２４にかかる第２の実施形態において採用されたアクチュエータ２４は、上述した第１の実施形態のように回動操作を行うものではなく、スライド移動の操作する構成になされている。より具体的には、絶縁ハウジング１１の後端縁部に対してコネクタ後方側に離間するように配置された「初期位置」から、コネクタ前方側に押し込まれた「押込み作用位置」まで、アクチュエータ２４がスライド移動される構成になされている。
【００５９】
以下の説明においては、上述した第１の実施形態と同様の構成については説明を省略し、主として相違する構成についての説明を行うこととする。
【００６０】
より具体的には、本実施形態におけるアクチュエータ２４のスライド操作枠体２４ｂに、コネクタ前方側（図２１及び図２２の左方側）に向かって突出するように設けられたフック状突起部２４ｅは、絶縁ハウジング１１の内方側に入り込むように延出している。そして、そのフック状突起部２４ｅがコネクタ後方側に引き出された「初期位置」にある状態において、当該フック状突起部２４ｅにおける延出側の先端部分、つまり絶縁ハウジング１１の内方側に延出する部分（内端部分）に設けられた抜止め突部２４ｅ１が、可動コンタクトビーム１２ａ，１３ａと固定コンタクトビーム１２ｂ，１３ｂとの間部分に入り込んだ構成になされている。すなわち、可動コンタクトビーム１２ａ，１３ａの後端部分に設けられたカム作用部１２ａ２，１３ａ２に対して、上述したフック状突起部２４ｅの抜止め突部２４ｅ１が、コネクタ前方側から接触した配置関係になされており、それによってアクチュエータ２４がコネクタ後方側に脱落しないように保持されている。
【００６１】
また、そのときのフック状突起部２４ｅには、上述した抜止め突部２４ｅ１からコネクタ後方側に至る部分に、上方に向かって突出する山形状の押圧カム部２４ｅ２が形成されている。そして、「初期位置」にあるアクチュエータ１４の全体が、コネクタ前方側にスライドするように移動操作された際に、上述したフック状突起部２４ｅの押圧カム部２４ｅ２の傾斜面が、可動コンタクトビーム１２ａ，１３ａのカム作用部１２ａ２，１３ａ２の傾斜面に対して後方側から当接し、そのカム作用部１２ａ２，１３ａ２の傾斜面に発生する上方向への分力によって、可動コンタクトビーム１２ａ，１３ａのコネクタ後端側部分が上方側に持ち上げられるように弾性変位し、それに伴って、コネクタ前端側に設けられた端子接触凸部１２ａ１，１３ａ１が下方に押し下げられていく構成になされている。
【００６２】
すなわち、アクチュエータ２４が「初期位置」にある状態（図２１及び図２２参照）において、絶縁ハウジング１１の前方側挿入口１１ａを通して信号伝送媒体（ＦＰＣ又はＦＦＣ等）Ｆが媒体収容通路１１ｂの内部に挿入され、その後にアクチュエータ２４に対して、コネクタ前方側への押し込み操作力が付与されることで、最終位置である「押込み作用位置」までコネクタ前方側へスライド移動されると、導電コンタクト１２，１３の可動コンタクトビーム１２ａ，１３ａが、前述したように弾性変形され、信号伝送媒体Ｆの表面に形成された信号伝送用またはグランド用の導電路（図示省略）のいずれかに対して、上述した可動コンタクトビーム１２ａ，１３ａの端子接触凸部１２ａ１，１３ａ１が圧接された状態に維持され、それによって印刷配線基板に対する電気的な接続が行われる構成になされている。
【００６３】
また、絶縁ハウジング１１に装着されたハウジングシェル１１ｃには、媒体収容通路１１ｂに向かって下方に切り起こされた片持ち状の弾性部材からなる複数の上面グランド接触片１１ｆが形成されている。これらの各上面グランド接触片１１ｆは、媒体収容通路１１ｂ内に挿入された信号伝送媒体（ＦＰＣ又はＦＦＣ等）Ｆの上側表面に対してグランド接続されるように配置されている。
【００６４】
さらに、本実施形態におけるアクチュエータ２４にも、スライド操作枠体２４ｂの外表面の一部を覆うようにしてアクチュエータシェル２４ｃが設けられているが、アクチュエータ２４が「初期位置」に引き出された状態において、アクチュエータシェル２４ｃのコネクタ前方側の端縁部は、前述した絶縁ハウジング１１に装着されたハウジングシェル１１ｃの後端縁部からコネクタ後方側に離間した位置に配置されている。そして、アクチュエータ２４が、前述した最終の「押込み作用位置」までコネクタ前方側にスライドするようにして移動された際には、当該アクチュエータシェル２４ｃの前端縁部が、ハウジングシェル１１ｃの後端縁部に対して下方側から当接する位置関係になされている。
【００６５】
このようにアクチュエータシェル２４ｃがハウジングシェル１１ｃに当接するにあたっては、アクチュエータシェル２４ｃの前端縁部分が、ハウジングシェル１１ｃの後端縁部分に下方側から重なり合うように面接触された状態となる。このとき、アクチュエータシェル２４ｃの前端縁部分には、上方に突出する小突起からなるピンプル２４ｆが複数体にわたって形成されており、それらの各ピンプル２４ｆが、ハウジングシェル１１ｃに対して下方側から確実に当接される構成になされている。
【００６６】
また、上述したアクチュエータシェル２４ｃの下壁部分、すなわち印刷配線基板（図示省略）に対面する壁面には、片持ち状の弾性部材からなる下面グランド接触片２４ｇが複数体にわたって形成されている。これらの下面グランド接触片２４ｇは、印刷配線基板状に形成された導電路に対してグランド接続されるように配置されている。
【００６７】
このような構成を有する第２の実施形態においても、上述した第１の実施形態と略同様な作用・効果が得られる。特に、本実施形態にかかるリセプタクルコネクタ１０の組み立て工程において、当該リセプタクルコネクタ１０を上方側から所定の治具を用いて吸着する場合に、絶縁ハウジング１１の上面を覆うハウジングシェル１１ｃにおける例えば図２５の斜線で示されている領域（吸着エリア）に対して、治具による吸着を、スペース的に余裕を持って直接的に行うことが可能となり、その結果、良好な組立て性が得られる。
【００６８】
一方、図２６に示されている実施形態においては、前述した第１の実施形態における絶縁ハウジング１１を覆うハウジングシェル（シールドシェル）１１ｃの上部壁部に、弾性変形可能な接触バネ部材（グランド部材）１１ｇが、下方に向かって張り出すように切起しにより形成されている。この接触バネ部材１１ｇは、下方側への張り出し頂点部分にグランド接点部を有しており、グランド部材を構成している導電コンタクト１２の可動コンタクトビーム１２ａに対して上方側から弾性的に接触するように配置されている。
【００６９】
このような構成を有する実施形態によれば、グランド回路を構成する電気経路が多点接触状態となり、その分、グランド抵抗が低減される。
【００７０】
以上、本発明者によってなされた発明を実施形態に基づき具体的に説明したが、本発明は上述した実施形態に限定されるものではなく、その要旨を逸脱しない範囲で種々変形可能であるというのはいうまでもない。
【００７１】
例えば、上述した各実施形態においては、電気コネクタに固定される信号伝送媒体として、フレキシブル・プリンテッド・サーキット（ＦＰＣ）、及びフレキシブル・フラット・ケーブル（ＦＦＣ）を採用しているが、その他の信号伝送用媒体等を用いた場合に対しても本発明は同様に適用することができる。
【００７２】
また、上述した実施形態にかかる電気コネクタは、形状が異なる導電コンタクトを用いたものであるが、同一形状の導電コンタクトを用いたものであっても本発明は同様に適用することが可能である。
【産業上の利用可能性】
【００７３】
本発明は、各種電気機器に使用する多種多様な電気コネクタに対して広く適用することが可能である。
【符号の説明】
【００７４】
１０  リセプタクルコネクタ
１１  絶縁ハウジング（インシュレータ）
１１ａ  前方側挿入口
１１ｂ  媒体収容通路
１１ｃ  ハウジングシェル（シールドシェル）
１１ｃ１  固定穴
１１ｃ２  固定突起
１１ｄ  前端グランド接触片（グランド部材）
１１ｅ  側端グランド接触片（グランド部材）
１１ｆ  上面グランド接触片（グランド部材）
１１ｇ  接触バネ部材（グランド部材）
１２，１３  導電コンタクト（コンタクト部材）
１２ａ，１３ａ  可動コンタクトビーム
１２ａ１，１３ａ１  端子接触凸部
１２ａ２，１３ａ２  カム作用部
１２ｂ，１３ｂ  固定コンタクトビーム
１２ｂ１，１３ｂ１  基板接合端子部
１２ｃ，１３ｃ  連結支柱部
１４  アクチュエータ（接続操作手段）
１４ａ  回動軸
１４ｂ  回動操作枠体
１４ｃ  アクチュエータシェル（シールドシェル）
１４ｄ  スリット
１４ｅ  フック状突起部
１４ｅ１  押圧カム部
１４ｆ  側端グランド接触片
１４ｇ  回動アーム
１５  ロック部材
２４  アクチュエータ
２４ｂ  スライド操作枠体
２４ｃ  アクチュエータシェル
２４ｅ  フック状突起部
２４ｅ１  抜止め突部
２４ｅ２  押圧カム部
２４ｆ  ピンプル
２４ｇ  下面グランド接触片
Ｆ  信号伝送媒体（ＦＰＣ又はＦＦＣ等）
Ｆ１  係合位置決め部
Ｆ２  導電路
【図１】
0005907207.tif 000002
【図２】
0005907207.tif 000003
【図３】
0005907207.tif 000004
【図４】
0005907207.tif 000005
【図５】
0005907207.tif 000006
【図６】
0005907207.tif 000007
【図７】
0005907207.tif 000008
【図８】
0005907207.tif 000009
【図９】
0005907207.tif 000010
【図１０】
0005907207.tif 000011
【図１１】
0005907207.tif 000012
【図１２】
0005907207.tif 000013
【図１３】
0005907207.tif 000014
【図１４】
0005907207.tif 000015
【図１５】
0005907207.tif 000016
【図１６】
0005907207.tif 000017
【図１７】
0005907207.tif 000018
【図１８】
0005907207.tif 000019
【図１９】
0005907207.tif 000020
【図２０】
0005907207.tif 000021
【図２１】
0005907207.tif 000022
【図２２】
0005907207.tif 000023
【図２３】
0005907207.tif 000024
【図２４】
0005907207.tif 000025
【図２５】
0005907207.tif 000026
【図２６】
0005907207.tif 000027